(57)【要約】      （修正有）【課題】実際にグリーン上で使用するパターに装着してパッティングの練習を行うことができるパッティング練習具を提供する。【解決手段】ゴルフボールを打撃するヘッド部４を有するゴルフ用パターに装着してパッティングの練習を行うパッティング練習具１１であって、装着した状態でヘッド部４のフェース面９側へ突出し、且つゴルフボールを当てる打撃突起部１５を備えている。更に、打撃突起部は、フェース面から離れるに従って徐々に幅が小さくなるように形成されている。【選択図】図２
0003137033.tif 000002
【実用新案登録請求の範囲】
【請求項１】
ゴルフボールを打撃するヘッド部を有するゴルフ用パターに装着してパッティングの練習を行うパッティング練習具であって、
前記ヘッド部に着脱可能な練習具本体を備え、前記練習具本体は、前記ヘッド部に装着した状態で当該ヘッド部からフェース面側へ突出し且つ前記ゴルフボールを当てる打撃突起部を備えていることを特徴とするパッティング練習具。
【請求項２】
前記打撃突起部は、前記フェース面から離れるにしたがって徐々に幅が小さくなるように形成されていることを特徴とする請求項１に記載のパッティング練習具。
【請求項３】
前記練習具本体は、前記打撃突起部をヘッド部に取り付けるための取付部を備え、前記取付部は、前記ヘッド部のフェース面に対して幅方向にスライド可能であることを特徴とする請求項１又は２に記載のパッティング練習具。
【請求項４】
前記取付部は、前記ヘッド部のフェース面に当接する当接部と、前記当接部から屈曲して前記ヘッド部の上面に係止する係止部とを備え、前記当接部にはフェース面に吸着するマグネットが設けられていることを特徴とする請求項３に記載のパッティング練習具。
【請求項５】
前記取付部又は打撃突起部には、ヘッド部に対する打撃突起部の位置調整するための目盛が設けられていることを特徴とする請求項３又は４に記載のパッティング練習具。
【考案の詳細な説明】
【技術分野】
【０００１】
本考案は、例えば、愛用のゴルフ用パターに装着してパッティングの練習を行うパッティング練習具に関するものである。
【背景技術】
【０００２】
従来より、ゴルフにおいて、グリーン上で行われるパッティングの上達はスコアを伸ばすためにも重要な要素の１つであり、パッティングを練習するものとして様々なものが考えられている（例えば、特許文献１）。
特許文献１のパッティング練習具（パター練習具）は、 ゴルフボールを衝打するヘッド部を下端に備えたもので、ヘッド部の中心に、ゴルフボールの芯に当たった時のみ該ゴルフボールを直進させる狭小な打撃面を有する中心突起が形成されたものである。即ち、このパッティング練習具は、ヘッド部とシャフト部（柄部）とを備えたパッティングを練習するための練習専用である。
【特許文献１】特開平１０−２７７１９０号公報
【考案の開示】
【考案が解決しようとする課題】
【０００３】
特許文献１のパッティング練習具は練習専用であって、実際にグリーン上でパッティングをする際に用いる愛用のパターとはヘッド部及びシャフト部の形状や長さ等が異なっている。
ゆえに、特許文献１のような練習専用のパターで練習したとしても、愛用のパターとはパッティングの感覚が異なってしまうことがあり、実際にはパッティングの練習の成果をグリーン上で発揮できないことがあった。
本考案は、上記のような実情に鑑みてされてたもので、その目的とするところは、実際にグリーン上で使用するパターに装着してパッティングの練習を行うことができるパッティング練習具を提供することを目的とする。
【課題を解決するための手段】
【０００４】
前記目的を達成するため、本考案は、次の手段を講じた。
即ち、ゴルフボールを打撃するヘッド部を有するゴルフ用パターに装着してパッティングの練習を行うパッティング練習具であって、前記ヘッド部に着脱可能な練習具本体を備え、前記練習具本体は、前記ヘッド部に装着した状態で当該ヘッド部のフェース面側へ突出し且つ前記ゴルフボールを当てる打撃突起部を備えている点にある。
これによれば、愛用のゴルフ用パターに練習具本体を装着して打撃突起部にゴルフボールを当てることにより、愛用のゴルフ用パターを用いてパッティングの練習を行うことができる。しかも、愛用のゴルフ用パターに対する取り外しも非常に簡単である。
【０００５】
前記打撃突起部は、前記フェース面から離れるにしたがって徐々に幅が小さくなるように形成されていることが好ましい。
これによれば、打撃突起部の中心に正確にゴルフボールを当てたときは、ゴルフボールは直進し、打撃突起部の右側に当てたときはゴルフボールはスライスし、打撃突起部の左側に当てたときはゴルフボールはフックするようになる。
したがって、パッティングの練習において、正確にゴルフボールを打撃したときと、不正確にゴルフボールを打撃したとき（フック、スライス）とを区別できるため、ゴルファーの癖を把握でき、その癖等を矯正することを簡単に行うことができる。
【０００６】
前記練習具本体は、前記打撃突起部をヘッド部に取り付けるための取付部を備え、前記取付部は、前記ヘッド部のフェース面に対して幅方向にスライド可能であることが好ましい。これによれば、ゴルファーの好みや癖に合わせて、打撃突起部でのヒッティングポイントを自在に変えることができる。
前記取付部は、前記ヘッド部のフェース面に当接する当接部と、前記当接部から屈曲して前記ヘッド部の上面に係止する係止部とを備え、前記当接部にはフェース面に吸着するマグネットが設けられていることが好ましい。
【０００７】
これによれば、簡単に愛用のゴルフ用パターに練習具本体を取り付けることができる。  前記取付部又は打撃突起部には、ヘッド部に対する打撃突起部の位置調整するための目盛が設けられていることが好ましい。
ゴルファーにおいては、ゴルフ用パターでパッティングを行う際にフェース面の中心でゴルフボールを打撃するとは限らず、適宜、ゴルファーの感覚に合ったヒッティングポイントでパッティングを行うことがある。
目盛を設けるようにしているので、打撃突起部におけるヒッティングポイントの位置を把握することが容易であり、練習具本体を着脱して繰り返しパッティングの練習を行う際にも同じヒッティングポイントでの練習を行うことができる。
【考案の効果】
【０００８】
本考案のパッティング練習具によれば、実際にグリーン上で使用するパター（愛用のゴルフ用パター）に装着してパッティングの練習を行うことができる。
【考案を実施するための最良の形態】
【０００９】
以下、本考案の実施の形態を図面に基づいて説明する。説明の便宜上、図３の紙面貫通方向を前後方向とし、図３及び図４の左側を左側、右側を右側として説明する。
図１、２に示すように、本考案のパッティング練習具１は、ゴルフ用パター２に装着するものであって、パッティングの練習を行うためのものである。
このゴルフ用パター２は、長尺状のシャフト部３と、このシャフト部３の先端部に設けられたヘッド部４とを備え、シャフト部３の基端側にはグリップ５が設けられている。
ヘッド部４は、ゴルフボールＧＢを打撃する部分であって、底壁７と、この底壁７の前側から上方へ立ち上がる前壁８とを有しており、前壁８の前側はゴルフボールＧＢを打撃するフェース面９とされている。シャフト部３の先端側はネック部１０を介して底壁７又は前壁８に連結されたものとなっている。前壁８におけるフェース面９及び前壁８の上面は略フラットな平面となっている。
【００１０】
パッティング練習具１は、ヘッド部４に着脱可能な練習具本体１１を備え、この実施形態では、後述するようにマグネット１２を介して金属等から構成されたヘッド部４に装着できるようになっている。
この練習具本体１１は、打撃突起部１５と、取付部１６とを備えている。
取付部１６は、打撃突起部１５をヘッド部４に取り付けるためので、平板状に形成されてフェース面９に当接可能な当接部１７と、平板状に形成されて当接部１７から後側（フェース面９側）に屈曲した係止部１８とを備えている。係止部１８の上面には、例えば、１ｍｍ単位の目盛２５が長手方向略全域に亘って設けられている。
【００１１】
当接部１７において、フェース面９に当接する側の左右両端には取付手段（例えば、マグネット１２）が設けられている。係止部１８をヘッド部４の上面、即ち、前壁８の上面に係止めすると共に、マグネット１２をフェース面９に吸着することにより、取付部１６を介して打撃突起部１５をヘッド部４、即ち、前壁８に装着できる。
図２〜４に示すように、前壁８の上面に係止部１８を係止して当接部１７をフェース面９に当接させた状態から取付部１６を左右方向（幅方向）に移動させて、当接部１７及び係止部１８をフェース面９及び上面に摺動させることにより、当該取付部１６は、フェース面９に対して幅方向にスライドすることができるようになっている。
【００１２】
打撃突起部１５は、ヘッド部４に装着した状態で取付部１６からフェース面９側（前方）へ突出するもので、その先端部にゴルフボールＧＢを当てるものとなっている。
詳しくは、打撃突起部１５は、装着した状態で、フェース面９から離れるにしたがって徐々に幅が小さくなるように先尖状に形成されている。
さらに詳しくは、打撃突起部１５は、取付部１６の当接部１７から前側に伸びて且つ前側にいくにしたがって左右中心部側へ徐々に移行する左右一対の傾斜面２０と、各傾斜面２０の前端側を連結してゴルフボールＧＢを当てる打撃面２１と、打撃面２１及び傾斜面２０の上端に設けられた上面２２と、打撃面２１及び傾斜面２０の下端に設けられた下面２３とを備えたものとなっている。
【００１３】
打撃突起部１５の先端部、即ち、打撃面２１は略フラットな面に形成されていて、下面２３及び上面２２に対して略垂直に起立したものとなっている。言い換えれば、パッティング練習具１を装着した状態で打撃突起部１５の打撃面２１とフェース面９とが平行となっている。この打撃面２１の左右幅は、この実施形態では２〜３ｍｍに設定されている。  係止部１８の上面には、例えば、１ｍｍ単位の目盛が長手方向略全域に亘って設けられている。したがって、取付部１６をフェース面９に対して幅方向に移動させて打撃突起部１５の位置調整を行う際に、当該目盛とヘッド部４の中心部に設けられたセンターラインＣとを合わすことで、ヘッド部４（フェース面９）に対する打撃突起部１５の位置を固定することができる。
【００１４】
本考案のパッティング練習具によるパッティングの練習について説明する。
パッティングの練習を行うためには、まず、実際にグリーン上で使用するゴルフ用パター２、即ち、愛用のゴルフ用パターを用意する。当該ゴルフ用パター２のヘッド部４にパッティング練習具１（練習具本体１１）を取り付ける。打撃突起部１５の左右位置の調整は、取付部１６を手で持ってフェース面９に対して取付部１６を左右に移動させることで行う。
打撃突起部１５の前側にゴルフボールＧＢを置き、当該打撃突起部１５の打撃面２１にゴルフボールＧＢを当てることでパッティングの練習を行う。
【００１５】
図６（ａ）に示すように、パッティングのストロークがゴルフボールＧＢの芯（中心ラインＬ）に対して真っ直ぐであって、ゴルフボールＧＢの芯に打撃突起部１５の打撃面２１を斜めにならず直線的に当てることができれば、ゴルフボールＧＢは直進することとなる。
図６（ｂ）に示すように、パッティングのストロークがゴルフボールＧＢの芯に対して斜めであって、ゴルフボールＧＢの芯に打撃突起部１５の打撃面２１を当てることができず、正面視で左側の傾斜面２０又は打撃面２１の左角部に当たった場合は、ゴルフボールＧＢはスライス回転して転がることになる。
【００１６】
図６（ｃ）に示すように、パッティングのストロークがゴルフボールＧＢの芯に対して斜めであって、ゴルフボールＧＢの芯に打撃突起部１５の打撃面２１を当てることができず、正面視で右側の傾斜面２０又は打撃面の右角部に当たった場合は、ゴルフボールＧＢはフック回転して転がることになる。
このように、パッティング練習具によれば、愛用のゴルフ用パター２を用いてパッティングの練習を行うことができ、しかも、ゴルフ用パター対する取り外も簡単に行うことができる。
【００１７】
また、打撃突起部１５をフェース面９から離れるにしたがって徐々に幅が小さくなるように形成しているために、正確にゴルフボールＧＢを打撃したときと、不正確にゴルフボールＧＢを打撃したとき（フック、スライス）とを区別できるため、ゴルファーの癖を把握でき矯正することが簡単にできる。さらに、取付部１６がフェース面９に対して幅方向にスライド可能であることからゴルファーの好みや癖に合わせて、ヒッティングポイントを自在に変えることができる。
本考案は、上記記載の実施の形態に限定されることなく適宜に設計変更が可能である。
【００１８】
上記の実施の形態では、取付部１６にマグネット１２を設けることで練習具本体１１を着脱自在にしていたが、これに代え、取付部１６の左右両端側とヘッド部４の左右両端側とを弾性体（例えば、輪ゴム）で連結してもよいし、その他の部材によって、取付部１６とヘッド部４とを連結するようにしてもよい。また、上記の実施の形態では取付部１６に目盛を設けるようにしているが、打撃突起部１５に目盛が設けられていても良い。
パッティング練習具１を装着するゴルフ用パット２は上記の実施の形態に示したものに限らず、その他の形状のゴルフ用パットでもよい。
【図面の簡単な説明】
【００１９】
【図１】本考案のパッティング練習具をゴルフ用パターに装着した斜視図である。
【図２】パッティング練習具の取付状態の拡大斜視図である。
【図３】パッティング練習具の取付状態の拡大正面図である。
【図４】パッティング練習具の取付状態の拡大平面図である。
【図５】図４のＡ−Ａ断面図である。
【図６】パッティングの練習を説明する説明図である。
【符号の説明】
【００２０】
１    パッティング練習具
４    ヘッド部
９    フェース面
１１  練習具本体
１５  打撃突起部
ＧＢ  ゴルフボール
【図１】
0003137033.tif 000003
【図２】
0003137033.tif 000004
【図３】
0003137033.tif 000005
【図４】
0003137033.tif 000006
【図５】
0003137033.tif 000007
【図６】
0003137033.tif 000008